(57)【要約】【課題】施工現場での作業を省力化しつつ、袋体単体の回転を抑止できる泥土の脱水用袋を提供する。【解決手段】泥土の袋詰め脱水用袋１は、高含水率の泥土を注入して袋詰め脱水を行うための袋であって、透水性を有する袋体２と、袋体２内に配置され、泥土が充填された状態の袋体２の上下面を連結し、可撓性を有する連結部材３とを備えている。【選択図】図８
2015047548.tif 000002
【特許請求の範囲】
【請求項１】
高含水率の泥土を注入して袋詰め脱水を行うための袋であって、
透水性を有する袋体と、
少なくとも一部分が前記袋体内に配置されており、前記袋体内に泥土が充填された状態において前記袋体の上下面となる面同士を連結すると共に、可撓性を有する連結部材とを備えることを特徴とする泥土の袋詰め脱水用袋。
【請求項２】
前記連結部材が、前記袋体の長手方向に沿って複数配列されていることを特徴とする請求項１に記載の泥土の袋詰め脱水用袋。
【請求項３】
前記連結部材が、前記袋体の長手方向に直交する方向に沿って複数配列されていることを特徴とする請求項１または２に記載の泥土の袋詰め脱水用袋。
【請求項４】
前記連結部材の両端部が、前記袋体の前記上下面に固定されていることを特徴とする請求項１に記載の泥土の袋詰め脱水用袋。
【請求項５】
前記連結部材が、前記袋体の長手方向に直交する方向に３つ以上配列されており、
前記３つ以上の連結部材のうち両端部の連結部材が中央部の連結部材よりも長さが短いことを特徴とする請求項４に記載の泥土の袋詰め脱水用袋。
【請求項６】
前記連結部材の長さが、前記袋体内への泥土の充填が完了した時点で弛みなく張った状態となることが可能な長さであることを特徴とする請求項４または５に記載の泥土の袋詰め脱水用袋。
【請求項７】
前記連結部材の少なくとも一方の端部が、前記袋体の外部に露出しており、
前記連結部材における前記袋体の前記上下面を連結する部分の長さが、調節可能であることを特徴とする請求項１に記載の泥土の袋詰め脱水用袋。
【請求項８】
前記袋体が、複数枚の布帛を接合することで形成されており、前記連結部材の長さ方向一部分が、隣り合う２枚の前記布帛の間に配置されていることを特徴とする請求項１〜７のいずれかに記載の泥土の袋詰め脱水用袋。
【請求項９】
前記袋体が、筒軸方向に並んで連結された複数の短筒体からなり、その長手方向が前記筒軸方向であって、
前記短筒体が、１枚または周方向に並んだ２枚以上の前記布帛からなり、
前記連結部材の長さ方向一部分が、隣り合う２つの前記短筒体の間に配置されていることを特徴とする請求項８に記載の泥土の袋詰め脱水用袋。
【請求項１０】
前記布帛同士が、縫製によって接合されており、
前記袋体が、前記布帛の縁部に沿って配置されて、前記布帛と一緒に縫製された帯状の目止め部材を有しており、
前記目止め部材が、前記布帛より剛性が高く且つ可撓性を有することを特徴とする請求項８または９に記載の泥土の袋詰め脱水用袋。
【請求項１１】
請求項１〜１０のいずれかに記載の泥水の袋詰め脱水用袋を用いて泥土の袋詰め脱水処理を行う方法であって、
前記袋体内に泥土を充填して、当該袋体を放置することにより、その内部に充填された泥水の脱水を行うことを特徴とする泥土の袋詰め脱水処理方法。
【請求項１２】
請求項７に記載の泥水の袋詰め脱水用袋を用いて泥土の袋詰め脱水処理を行う方法であって、
前記袋体内に泥土を充填して、当該袋体を放置することにより、その内部に充填された泥水の脱水を行った後、前記連結部材における前記袋体の前記上下面を連結する部分が弛みなく張った状態となるように、前記連結部材における前記袋体の前記上下面を連結する部分の長さを短くすることを特徴とする泥土の袋詰め脱水処理方法。
【発明の詳細な説明】
【技術分野】
【０００１】
本発明は、水分を含有した泥土の袋詰め脱水処理を行う際に用いる袋詰め脱水用袋に関する。
【背景技術】
【０００２】
従来から、河川、湖沼、海洋などで浚渫された高含水率の泥土の脱水処理としては、透水性を有する布帛からなる袋体内に、高含水率の泥土をポンプ等により圧送して充填した後、袋体を一定期間放置する、いわゆる、袋詰め脱水処理工法が広く採用されている。脱水された処理土は、袋詰め状態で盛土として利用される。また、施工の効率化のために大型の袋体を用いる場合には、充填後に袋体を移動させることが困難なため、盛土設置場所にあらかじめ空の袋体を並べておいて、その袋体に高含水率の泥土を充填する方法が採用されている。
【０００３】
前記方法の充填過程において、袋体内が泥土で満たされることで徐々にその外形が円柱状となる。また、袋体内の泥土は流動性が高いこともあって、袋体は形状が変形しやすくなっている。そのため、袋体を傾斜のある地面に配置した場合、充填の途中で袋体が転がってしまう場合がある。また、泥土が充填された複数の袋体を積み重ねて盛土として利用する場合、上段の袋体の荷重により、下段の端部の袋体が横に押し出される場合がある。
【０００４】
このような袋体の移動を防止するために、例えば特許文献１では、複数の袋体を積み重ねる袋詰め脱水処理工法において、横に隣り合う袋体同士を連結している。具体的には、袋体の周囲にベルトが巻き付けられていると共に、隣り合う袋体のベルト同士が接合部を介して連結されている。袋詰め脱水処理を行う際には、予め連結された複数のベルトを盛土設置場所に配置して、このベルトの上に空の状態の袋体を配置して、袋体にベルトを巻き付けてから、袋体の内部に泥土を充填している。
【先行技術文献】
【特許文献】
【０００５】
【特許文献１】特開２０１０−１２１３０７号公報
【発明の概要】
【発明が解決しようとする課題】
【０００６】
しかしながら、特許文献１の袋詰め脱水処理工法では、施工現場において、袋体にベルトを取り付ける作業を行わなければならない。
また、特許文献１の袋詰め脱水処理工法は、横に並ぶ袋体同士を連結することで袋体の移動を防止する構成であるため、複数の袋体を縦一列に積み重ねる場合や袋体を１つだけ配置する場合に適用できない。
【０００７】
そこで本発明は、施工現場での作業を省力化しつつ、袋体単体の回転を抑止できる泥土の脱水用袋を提供することを目的とする。
【課題を解決するための手段及び発明の効果】
【０００８】
第１の発明の泥土の袋詰め脱水用袋は、高含水率の泥土を注入して袋詰め脱水を行うための袋であって、透水性を有する袋体と、少なくとも一部分が前記袋体内に配置されており、前記袋体内に泥土が充填された状態において前記袋体の上下面となる面同士を連結すると共に、可撓性を有する連結部材とを備えることを特徴とする。
【０００９】
この構成によると、袋体に高含水率の泥土が注入されると、袋体は断面が略楕円形状となり、その上下面が連結部材によって連結された状態となる。そのため、袋体が回転しようとすると、袋体内において連結部材が弛みなく張った状態となって袋体の上面が下面に対して相対移動するのを規制できるため、袋体単体の回転を抑止できる。
また、本発明は、袋体の内部の連結部材によって袋体の回転を抑止できるため、施工現場において袋体の外側に回転防止のための部材を取り付けるなどの作業が不要であり、施工現場での作業を省力化できる。
【００１０】
第２の発明に係る泥土の袋詰め脱水用袋は、第１の発明において、前記連結部材が、前記袋体の長手方向に沿って複数配列されていることを特徴とする。
【００１１】
この構成によると、袋体の長手方向長さが長い場合であっても、袋体の長手方向全域にわたって、袋体が長手方向に直交する周方向に回転するのを抑止できる。
【００１２】
第３の発明に係る泥土の袋詰め脱水用袋は、第１または第２の発明において、前記連結部材が、前記袋体の長手方向に直交する方向に沿って複数配列されていることを特徴とする。
【００１３】
この構成によると、袋体のうち、連結部材が袋体の長手方向に直交する方向に配列されている部分が、袋体の長手方向に直交する周方向に回転するのをより確実に抑止できる。
また、仮に、袋体の長手方向に直交する方向の中央部にのみ連結部材を設けた場合には、袋体に泥土が完全に充填されるまで、袋体内において連結部材は弛んだ状態となるが、本発明では、連結部材を袋体の長手方向に直交する方向に複数配列しているため、泥土を注入している途中で、袋体内において連結部材を張った状態とすることができる。したがって、泥土を注入している途中で袋体が回転するのを抑止できる。
【００１４】
第４の発明に係る泥土の袋詰め脱水用袋は、第１の発明において、前記連結部材の両端部が、前記袋体の前記上下面に固定されていることを特徴とする請求項１に記載の泥土の袋詰め脱水用袋。
【００１５】
この構成によると、連結部材の両端部が袋体に固定されていることにより、連結部材が弛みなく張った状態となったときに、連結部材の長さ（袋体の上下面を連結する長さ）が変化しないため、袋体の回転を確実に抑止できる。また、施工現場において連結部材の長さを調節する必要がないため、施工現場での作業をより省力化できる。
【００１６】
第５の発明に係る泥土の袋詰め脱水用袋は、第４の発明において、前記連結部材が、前記袋体の長手方向に直交する方向に３つ以上配列されており、前記３つ以上の連結部材のうち両端部の連結部材が中央部の連結部材よりも長さが短いことを特徴とする。
【００１７】
この構成によると、袋体に泥土が充填されて、袋体の断面が略楕円形状となったときに、両端部の連結部材と中央部の連結部材を同時に弛みなく張った状態とすることができる。これにより、袋体の回転をより確実に抑止できる。
【００１８】
第６の発明に係る泥土の袋詰め脱水用袋は、第４または第５の発明において、前記連結部材の長さが、前記袋体内への泥土の充填が完了した時点で弛みなく張った状態となることが可能な長さであることを特徴とする。
【００１９】
この構成によると、袋体への泥土の充填がほぼ完了した時点で、連結部材を弛みなく張った状態にできるため、袋体の回転をより確実に抑止できる。
【００２０】
第７の発明に係る泥土の袋詰め脱水用袋は、第１の発明において、前記連結部材の少なくとも一方の端部が、前記袋体の外部に露出しており、前記連結部材における前記袋体の前記上下面を連結する部分の長さが、調節可能であることを特徴とする。
【００２１】
この構成によると、袋体内に泥土を注入する際に、袋体内への泥土の注入量に合わせて連結部材の袋体内の部分の長さを調節することで、袋体内において連結部材を弛みなく張った状態にできるため、袋体の回転をより確実に抑止できる。
また、袋体への泥土の注入時だけでなく、泥土の流動性が高い脱水初期時においても、袋体内の泥土の体積の低下に応じて連結部材の袋体内の部分の長さを調節することで、袋体内において連結部材を弛みなく張った状態にできるため、袋体の回転をより確実に抑止できる。
【００２２】
第８の発明に係る泥土の袋詰め脱水用袋は、第１〜第７の発明のいずれかにおいて、前記袋体が、複数枚の布帛を接合することで形成されており、前記連結部材の長さ方向一部分が、隣り合う２枚の前記布帛の間に配置されていることを特徴とする。
【００２３】
この構成によると、連結部材の長さ方向一部分が２枚の布帛の間に配置されるため、連結部材を布帛の中央部に接合する場合に比べて、連結部材と布帛との接合が容易である。
また、連結部材の長さ方向一部分が２枚の布帛の間に配置されるため、連結部材を袋体に貫通させる場合に、布帛に貫通孔を設けなくて済むので、袋体を作製しやすい。
また、袋体は複数枚の布帛によって形成されているため、大型の袋体を作製しやすい。
【００２４】
第９の発明に係る泥土の袋詰め脱水用袋は、第８の発明において、前記袋体が、筒軸方向に並んで連結された複数の短筒体からなり、その長手方向が前記筒軸方向であって、前記短筒体が、１枚または周方向に並んだ２枚以上の前記布帛からなり、前記連結部材の長さ方向一部分が、隣り合う２つの前記短筒体の間に配置されていることを特徴とする。
【００２５】
この構成によると、袋体は、その長手方向に並んだ複数の短筒体によって構成されているため、袋体の長手方向長さが長い場合であっても、袋体を容易に作製することができる。
【００２６】
第１０の発明に係る泥土の袋詰め脱水用袋は、第８または第９の発明において、前記布帛同士が、縫製によって接合されており、前記袋体が、前記布帛の縁部に沿って配置されて、前記布帛と一緒に縫製された帯状の目止め部材を有しており、前記目止め部材が、前記布帛より剛性が高く且つ可撓性を有することを特徴とする。
【００２７】
この構成によると、袋体を構成する布帛よりも剛性が高い目止め部材が、袋体の縫製部に配置されて布帛と一緒に縫製されているため、たとえ布帛が引っ張られても縫製部において布帛が変形して縫い目が広がるのを防止できる。そのため、袋体内の泥土が縫製部から外部に漏れ出るのを防止できる。
【００２８】
第１１の発明に係る泥土の袋詰め脱水処理方法は、第１〜第１０の発明のいずれかに係る泥水の袋詰め脱水用袋を用いて泥土の袋詰め脱水処理を行う方法であって、前記袋体内に泥土を充填して、当該袋体を放置することにより、その内部に充填された泥水の脱水を行うことを特徴とする。
【００２９】
第１２の発明に係る泥土の袋詰め脱水処理方法は、第７の発明に係る泥水の袋詰め脱水用袋を用いて泥土の袋詰め脱水処理を行う方法であって、前記袋体内に泥土を充填して、当該袋体を放置することにより、その内部に充填された泥水の脱水を行った後、前記連結部材における前記袋体の前記上下面を連結する部分が弛みなく張った状態となるように、前記連結部材における前記袋体の前記上下面を連結する部分の長さを短くすることを特徴とする。
【図面の簡単な説明】
【００３０】
【図１】本発明の第１実施形態に係る泥土の袋詰め脱水用袋に泥土を充填した状態の斜視図である。
【図２】第１実施形態の泥土の袋詰め脱水用袋の断面斜視図である。
【図３】泥土が充填されていない状態の第１実施形態の泥土の袋詰め脱水用袋の平面図である。
【図４】（ａ）は図３のＡ−Ａ線断面図であって、（ｂ）は図３のＢ−Ｂ線断面図である。
【図５】図３のＣ−Ｃ線断面図である。
【図６】図３のＤ−Ｄ線断面図である。
【図７】第１実施形態の泥土の袋詰め脱水用袋の製造途中の状態を示す斜視図である。
【図８】泥土が充填された第１実施形態の泥土の袋詰め脱水用袋を傾斜のある地面に配置した状態を示す断面図である。
【図９】泥土が充填された複数の第１実施形態の泥土の袋詰め脱水用袋を、法面に沿って積み重ねた状態を示す断面斜視図である。
【図１０】泥土が充填された複数の第１実施形態の泥土の袋詰め脱水用袋を、ピラミッド状に積み重ねた状態を示す断面斜視図である。
【図１１】本発明の第２実施形態に係る泥土の袋詰め脱水用袋の断面図である。
【図１２】（ａ）は図１１の部分拡大図であり、（ｂ）は（ａ）の側面断面図であり、（ｃ）は（ａ）の背面図であり、（ｄ）は（ａ）の上視図である。
【図１３】図１１の泥土の袋詰め脱水用袋に泥土を充填する工程を説明する図である。
【図１４】本発明の第３実施形態に係る泥土の袋詰め脱水用袋の断面図である。
【図１５】本発明の第４実施形態に係る泥土の袋詰め脱水用袋の断面斜視図である。
【図１６】本発明の他の実施形態に係る泥土の袋詰め脱水用袋に泥土を充填した状態の断面図である。
【図１７】本発明の他の実施形態に係る泥土の袋詰め脱水用袋に泥土を充填した状態の斜視図である。
【図１８】実施例１の泥土の袋詰め脱水用袋の図面であって、（ａ）は泥土が充填されていない状態の平面図であって、（ｂ）は断面図である。
【図１９】実施例２の泥土の袋詰め脱水用袋の図面であって、（ａ）は泥土が充填されていない状態の平面図であって、（ｂ）は断面図である。
【００３１】
＜第１実施形態＞
以下、本発明の第１実施形態について説明する。
図１および図２に示すように、本実施形態の泥土の袋詰め脱水用袋１（以下、単に脱水用袋１という）は、袋体２と、袋体２の内部に設けられた複数の連結部材３とを備えている。
【００３２】
袋体２は、例えばポリエステル繊維等の合成繊維の織布で形成されており、透水性を有する。袋体２は、両端が閉塞された径が一定の筒状であって、長方形状の上面部２ａと下面部２ｂで構成されている。図３に示すように、袋体２は、内部に泥土が充填されていない状態（膨張していない状態）では、平面視が長方形状である。また、図８〜図１０に示すように、袋体２は、内部に高含水率の泥土Ｓが充填されると、長手方向に直交する断面が略楕円形状となり、その幅方向中央部の高さが最も高くなる。
【００３３】
袋体２の上面部２ａには、内部に泥土を注入するための２つの注入部４が設けられている。注入部４は、袋体２に形成された開口に、不透水性の織布からなる注入ホース４ａを挿入して、この注入ホース４ａを袋体２に縫い付けることで形成されている。
【００３４】
本実施形態の袋体２は、袋詰め脱水用袋としては大型であって、膨張していない状態における寸法が、例えば、長さ１０〜３０ｍ、幅２〜８ｍである。そのため、本実施形態の脱水用袋１を使用する際には、盛土設置場所に空の状態で配置されてから内部に泥土が充填される。
【００３５】
袋体２は、その長手方向に並んで連結された８つの短筒体５で形成されている。８つの短筒体５は縫製により連結されている。図２に示すように、各短筒体５は、１枚の矩形状の織布（短筒体形成部材）６を筒状に縫製したものである。また、袋体２の長手方向両端部は、縫製によって閉じられている。袋体２の縫製された部分を、縫製部７とする。
【００３６】
図４〜図６に示すように、縫製部７には、袋体２の内部の泥土が外部に漏れ出るのを防止するために目止め部材８が設けられている。図４（ａ）および図４（ｂ）に示すように、短筒体５同士を連結する縫製部７においては、目止め部材８は、隣り合う２つの短筒体５（織布６）の間に配置されて、織布６と一緒に縫製されている。なお、図４（ａ）および図４（ｂ）は、袋体２の下面部２ｂを省略して表示している。また、図５に示すように、袋体２の幅方向端部の縫製部７においては、織布６の周方向両端部が、それぞれ目止め部材８を巻き込んで三つ折りにされた状態で重ねられて縫製されている。また、図６に示すように、袋体２の長手方向端部の縫製部７においては、織布６の筒軸方向端部が重ねられた状態で目止め部材８を巻き込んで三つ折りにされてから縫製されている。
【００３７】
目止め部材８は、袋体２を構成する織布６より剛性が高く且つ可撓性を有する帯状の部材であって、例えば、ポリエステル繊維等の合成繊維で織成されたベルトが用いられる。
【００３８】
図２に示すように、連結部材３の両端部は、袋体２の上面部２ａと下面部２ｂに固定されている。したがって、連結部材３は、袋体２の内部において、袋体２の上面部２ａと下面部２ｂとを連結している。連結部材３は、例えばポリエステル繊維等の合成繊維で織成されたベルトであって可撓性を有する。連結部材３と目止め部材８は、同じベルトで構成されていてもよい。
【００３９】
図２に示すように、連結部材３の両端部は、短筒体５同士の連結部に固定されている。具体的には、図４（ｂ）に示すように、連結部材３の端部は、隣り合う２つの短筒体５（織布６）の間に配置されて、織布６と一緒に縫製されている。連結部材３の両端部は、上面部２ａと下面部２ｂの同じ位置に固定されている。図３中の×印は、連結部材３の端部の固定位置を示している。図３に示すように、連結部材３は、袋体２の長手方向に７列配置されると共に、袋体２の幅方向に２列配置されている。
【００４０】
また、連結部材３の長さＬは、袋体２内への泥土の充填がほぼ完了した時点で弛みなく張った状態となることが可能な長さに設定されている。連結部材の長さＬは、上面部２ａおよび下面部２ｂの幅方向端部から連結部材３の端部の固定位置までの長さＤの２倍よりも大きい。
【００４１】
次に、本実施形態の脱水用袋１の製造手順について説明する。
まず、８つの織布６のうちの２つの織布６に注入部４を形成しておく。次に、図７に示すように、８つの織布６を、短筒体５の筒軸方向となる方向に並べて縫い合わせる。このとき、図４に示すように、隣り合う２枚の織布６の間に、連結部材３の端部と目止め部材８を配置して、連結部材３と目止め部材８を織布６と一緒に縫製する。
【００４２】
続いて、図２に示すように、各織布６の両端部を重ねて、目止め部材８と一緒に縫製して、短筒体５を形成する。この工程により、両端が開口した状態の袋体２が作製される。その後、袋体２の長手方向両端部を、それぞれ目止め部材８と一緒に縫製して閉じる。以上の工程により、袋体２が製造される。
【００４３】
次に、本実施形態の脱水用袋１の使用状況について説明する。
本実施形態の脱水用袋１を用いて泥土の脱水処理を行う際には、盛土設置場所に袋体２を空の状態で配置してから、浚渫土などの高含水率の泥土を注入部４から袋体２の内部に注入して、袋体２に泥土を充填する。本実施形態では、充填がほぼ完了した時点で、複数の連結部材３は、弛みなく張った状態となる。そして、泥土が充填された袋体２を一定時間放置することにより、その自重圧密などにより内部の泥土が脱水処理される。
【００４４】
図８に示すように、緩やかな傾斜（例えば傾斜角度１０°）のある地面に、泥土Ｓが充填された袋体２を配置した場合、袋体２の傾斜方向下側の端部には、泥土Ｓの自重により、傾斜方向下向き成分の力Ｆが作用する。
【００４５】
袋体２と地面との間には摩擦抵抗があるため、傾斜角度が１０°程度であれば、力Ｆによって袋体２が地面を滑ることはほとんど無いが、高含水率の泥土Ｓは流動性が高いため、袋体２の上下面が連結部材３によって連結されていない従来の脱水用袋では、袋体２の地面と接していない部分が力Ｆによって移動して、袋体２が回転してしまう。
【００４６】
一方、本実施形態の脱水用袋１では、袋体２の上面部２ａと下面部２ｂが、弛みなく張った連結部材３によって連結されているため、袋体２の上面部２ａが下面部２ｂに対して相対移動するのを規制でき、袋体２単体の回転を抑止できる。
【００４７】
脱水処理が進むと、袋体２の高さが低くなって、連結部材３に弛みが生じるが、脱水が進むほど泥土の流動性が低くなるため、袋体２は回転しにくくなる。またたとえ回転しようとしても上面部２ａが若干移動した時点で連結部材３（特に図８中の右側の連結部材３）が張った状態となるため、袋体２の回転を抑止できる。
【００４８】
なお、図８では、袋体２を、地面の傾斜方向と袋体２の長手方向が直交するように配置している。地面が傾斜している場合には、袋体２を、地面の傾斜方向と袋体２の長手方向が一致するように配置することも考えられるが、この方向で配置すると、傾斜方向に関して袋体２の長さが長すぎるため、袋体２の内部において土が低い方に移動することで、袋体２の厚みが極端に不均一となる。そのため、この方向には脱水用袋１は配置しない。
【００４９】
図９および図１０は、泥土Ｓが充填された複数の脱水用袋１を多段に積み重ねて盛土を形成した状態の断面図である。図９では、複数の脱水用袋１を法面に沿って１列に積み重ねており、図１０では、複数の脱水用袋１をピラミッド状に積み重ねている。なお、盛土は、正確には脱水用袋１が積み重ねられて脱水処理された後に、土などがかぶせられしめ固められて形成される。
【００５０】
図８のように傾斜のある地面に、図９や図１０のように複数の脱水用袋１を多段に積み重ねた場合には、上述したように地面に配置した脱水用袋１の回転を防止できるだけでなく、上段の脱水用袋１の回転も抑止できる。
【００５１】
図１０のように、袋体２の幅方向中央部と袋体２の幅方向端部とが上下方向に交互に並ぶ多段積み構造では、上段の袋体２が、下段の２つの袋体２の間に落ち込もうとする。そのため、袋体２の上下面が連結部材３によって連結されていない従来の脱水用袋では、上段の袋体２の荷重により、下段の端部に配置された袋体２が転がって横に押し出されてしまう場合がある。一方、本実施形態の脱水用袋１では、袋体２の上面部２ａと下面部２ｂとが連結部材３によって連結されており、袋体２の回転を抑止できるため、下段の袋体２が回転して押し出されるのを防止できる。
【００５２】
以上説明した本実施形態の脱水用袋１によると、袋体２に高含水率の泥土が注入されると、袋体２は断面が略楕円形状となり、その上下面が連結部材３によって連結された状態となる。そのため、袋体２が回転しようとすると、連結部材３が弛みなく張った状態となって袋体２の上面部２ａが下面部２ｂに対して相対移動するのを規制できるため、袋体２単体の回転を抑止できる。
また、本実施形態の脱水用袋１は、袋体２の内部に設けられた連結部材３によって袋体２の回転を抑止できるため、施工現場において袋体２の外側に回転防止のための部材を取り付けるなどの作業が不要であり、施工現場での作業を省力化できる。
【００５３】
また、本実施形態では、連結部材３が袋体２の長手方向に沿って複数配列されているため、袋体２の長手方向全域にわたって、袋体２の回転を抑止できる。
【００５４】
さらに、本実施形態では、連結部材３が袋体２の幅方向に沿って複数配列されているため、袋体２の回転をより確実に抑止できる。
また、仮に、袋体２の幅方向中央部にのみ連結部材３を設けた場合、袋体２に泥土が完全に充填されるまで、連結部材３は弛んだ状態となるが、本実施形態では、連結部材３を袋体２の幅方向に複数配列しているため、泥土を注入している途中で、連結部材３を張った状態とすることができる。したがって、泥土を注入している途中で袋体２が回転するのを抑止できる。
【００５５】
また、本実施形態では、連結部材３の両端部が袋体２に固定されているため、連結部材３が弛みなく張った状態となったときに、連結部材３の長さ（袋体２の上下面を連結する長さ）が変化しないため、袋体２の回転を確実に抑止できる。また、施工現場において連結部材の長さを調節する必要がないため、施工が容易である。
【００５６】
また、本実施形態では、連結部材３の長さが、袋体２内への泥土の充填が完了した時点で弛みなく張った状態となることが可能な長さである。つまり、袋体２への泥土の充填がほぼ完了した時点で、連結部材３を弛みなく張った状態にできるため、袋体２の回転をより確実に抑止できる。
【００５７】
また、本実施形態では、連結部材３は、袋体２に縫い付けられているため、連結部材３を袋体２に強固に固定できる。また、連結部材３の端部は、織布６の縁部に縫い付けられているため、連結部材３を織布の中央部に縫い付ける場合に比べて、縫製が容易である。
【００５８】
また、本実施形態では、袋体２は複数枚の織布６によって形成されているため、大型の袋体２を作製しやすい。
【００５９】
また、本実施形態では、袋体２は、その長手方向に並んだ複数の短筒体５によって構成されているため、袋体２の長手方向長さが長い場合であっても、袋体２を容易に作製することができる。
【００６０】
また、本実施形態では、短筒体５となる矩形状の織布６を、短筒体５の筒軸方向となる方向に並べて連結してから、織布６を筒状に縫製しているため、筒状の短筒体５を筒軸方向に並べて連結する場合に比べて、袋体２を作製しやすい。
【００６１】
また、本実施形態では、袋体２を構成する織布６よりも剛性が高い目止め部材８が、袋体２の縫製部７に沿って配置されて織布６と一緒に縫製されているため、たとえ織布６が引っ張られても縫製部７において織布６が変形して縫い目が広がるのを防止できる。そのため、袋体２の内部の泥土が縫製部７から外部に漏れ出るのを防止できる。
【００６２】
＜第２実施形態＞
次に、本発明の第２実施形態について説明する。なお、第１実施形態と同様の構成を有するものについては、同じ符号を用いて適宜その説明を省略する。図１１に示すように、本実施形態の泥土の袋詰め脱水用袋１００（以下、単に脱水用袋１００という）は、袋体１０２と、その一部分が袋体１０２内に配置された複数の連結部材１０３と、複数のベルト調節具１２０と、袋体１０２内に配置された小袋１２１とを備えている。
【００６３】
袋体１０２は、上面部１０２ａに複数の開口１０２ｃが形成されている点で、第１実施形態の袋体１０２と相違するが、その他の構成は袋体１０２と同様である。開口１０２ｃは、隣り合う２つの短筒体５の間に形成されている。複数の開口１０２ｃは、第１実施形態の複数の連結部材３の上面部２ａへの固定位置と同じ位置に形成されている。
【００６４】
複数のベルト調節具１２０は、袋体１０２の上面部１０２ａに固定されている。図１２（ｂ）および図１２（ｄ）に示すように、ベルト調節具１２０には、ベルト固定孔１２０ａと、ベルト通過孔１２０ｂが形成されている。ベルト調節具１２０は、ベルト通過孔１２０ｂが袋体１０２の上面部１０２ａで塞がれることがないように、開口１０２ｃの縁部に固定されている。ベルト通過孔１２０ｂの縁は凹凸状に形成されており、ベルト通過孔１２０ｂに挿通される後述する第２ベルト１１１に対して滑り止めの役割を果たす。ベルト通過孔１２０ｂの最小開口幅は、第２ベルト１１１の厚みと同じかそれより若干大きい。
【００６５】
連結部材１０３の一端部は、袋体１０２の下面部２ｂに固定され、連結部材１０３の他端側は、袋体１０２の上面部１０２ａから外部に露出している。複数の連結部材１０３の配列位置は、第１実施形態の複数の連結部材３の配列位置と同じである。連結部材１０３は、第１ベルト１１０と、第２ベルト１１１と、ベルト連結具１１２とで構成されている。第１ベルト１１０および第２ベルト１１１は、第１実施形態の連結部材３と同様のベルトである。
【００６６】
第１ベルト１１０は、泥土が充填された状態の袋体１０２の高さよりも短い長さのベルトであって、袋体１０２の内部に配置されている。第１ベルト１１０の一端部は、袋体１０２の下面部２ｂに縫製により固定されている。具体的には、第１ベルト１１０の一端部は、隣り合う２つの短筒体５の間に配置されて縫製されている。また、第１ベルト１１０の他端部は、ベルト連結具１１２に挿通されてループ状に縫製されることでベルト連結具１１２に固定されている。ベルト連結具１１２は、四角枠状の部材である。
【００６７】
第２ベルト１１１は、ベルト連結具１１２に挿通されており、ベルト連結具１１２を介して第１ベルト１１０に連結されている。第２ベルト１１１の一端部は、ベルト調節具１２０のベルト固定孔１２０ａに挿通されてループ状に縫製されることでベルト調節具１２０に固定されている。また、第２ベルト１１１の他端部は、ベルト調節具１２０のベルト通過孔１２０ｂを通って袋体１０２の外部に露出している。そのため、第２ベルト１１１の一部分は、二つ折りにされた状態で袋体１０２内に配置されており、第２ベルト１１１の残りの部分は、袋体１０２の上面部１０２ａから外部に露出している。第２ベルト１１１におけるベルト通過孔１２０ｂを通過する位置を変更することで、連結部材１０３の袋体１０２内の部分の長さを調節できる。
【００６８】
また、上述したように、ベルト調節具１２０のベルト通過孔１２０ｂの幅は、第２ベルト１１１の厚みとほぼ同じか若干大きいだけであって、さらにベルト通過孔１２０ｂの縁には凹凸が形成されていることから、ベルト通過孔１２０ｂの縁に第２ベルト１１１が引っ掛かりやすくなっている。そのため、袋体１０２内に泥土を注入して、袋体１０２内において連結部材１０３が弛みなく張った状態となったときに、第２ベルト１１１の袋体１０２の外部に露出する部分を、ベルト通過孔１２０ｂの近傍で折り曲げることで、第２ベルト１１１がベルト通過孔１２０ｂの縁に引っかかり、袋体１０２内に引き込まれるのを防止できる。したがって、袋体１０２内に泥土が充填された状態において、連結部材１０３によって、袋体１０２の上面部１０２ａと下面部２ｂとを連結できる。
【００６９】
小袋１２１は、袋体１０２の内部に配置されており、第２ベルト１１１の袋体１０２内の部分と、ベルト連結具１１２と、第１ベルト１１０のベルト連結具１１２近傍部分とを収容している。小袋１２１は上下端が開口している。小袋１２１の上側開口縁部と下側開口縁部は、袋体１０２内の泥土が小袋１２１内に侵入しないように、ベルト調節具１２０と第１ベルト１１０にそれぞれ固定されている。なお、図１１および図１２では、小袋１２１の大きさがわかりやすいように、小袋１２１を膨張させて表示しているが、実際に袋体１０２に泥土Ｓを充填した状態では、小袋１２１は泥土に押されてしぼんだ状態となる（図１３参照）。
【００７０】
次に、本実施形態の脱水用袋１００の使用方法について説明する。
袋体１０２に泥土を注入する前に、予め、連結部材１０３の袋体１０２内の部分の長さを短めにしておく。袋体１０２に泥土Ｓを注入していくと、袋体１０２に泥土Ｓが充填される前に、図１３（ａ）に示すように、袋体１０２内において連結部材１０３が弛みなく張った状態となる。このとき、第２ベルト１１１をベルト通過孔１２０ｂの近傍で折り曲げておくことで、第２ベルト１１１はベルト通過孔１２０ｂの縁に引っかかり、第２ベルト１１１が自然に袋体１０２内に引き込まれるのを防止できる。
【００７１】
さらに泥土Ｓを注入して、図１３（ｂ）に示すように、袋体１０２が連結部材１０３の位置で凹んだ形状になると、図１３（ｃ）に示すように、第２ベルト１１１のベルト通過孔１２０ｂの近傍部をベルト通過孔１２０ｂの貫通方向に沿った方向にして、第２ベルト１１１を袋体１０２内に引き込ませて、連結部材１０３の袋体１０２内の部分の長さを長くする。袋体１０２内において連結部材１０３を弛みなく張った状態で維持しながら、連結部材１０３の袋体１０２内の部分の長さを長くした後、第２ベルト１１１を再びベルト通過孔１２０ｂの近傍で折り曲げる。その後、袋体１０２への泥土Ｓの注入を続けながら、連結部材１０３の長さ調節を繰り返し行って、袋体１０２への泥土の充填を完了する。
【００７２】
次に、泥土Ｓが充填された袋体１０２を放置して泥土を脱水する。脱水により袋体１０２内の泥土の体積が低減すると、第２ベルト１１１の袋体１０２の外部に露出している部分を引っ張って、連結部材１０３の袋体１０２内の部分の長さを短くして、袋体１０２内において連結部材１０３を弛みなく張った状態にする。その後、脱水処理を続けながら、泥土の流動性が低下して連結部材１０３の長さ調節が困難になるまで連結部材１０３の長さ調節を繰り返し行い、脱水処理を完了する。
【００７３】
本実施形態の脱水用袋１００によると、第１実施形態と同様に、袋体１０２に高含水率の泥土が注入されたときに、袋体１０２の上下面が連結部材１０３によって連結された状態となるため、袋体１０２単体の回転を抑止できると共に、施工現場において袋体１０２の外側に回転防止のための部材を取り付けるなどの作業が不要であり、施工現場での作業を省力化できる。また、第１実施形態と同様の構成については、第１実施形態で述べた効果と同様の効果が得られる。
【００７４】
また、本実施形態では、連結部材１０３における袋体１０２の上下面を連結する部分の長さが調節可能であるため、袋体１０２内に泥土を注入する際に、袋体１０２内への泥土の注入量に合わせて連結部材１０３の袋体１０２内の部分の長さを調節することで、袋体１０２内において連結部材１０３を弛みなく張った状態にできるため、泥土注入時の袋体１０２の回転を抑止できる。さらに、泥土の流動性が高い脱水初期時においても、袋体１０２内の泥土の体積の低下に応じて連結部材１０３の袋体１０２内の部分の長さを調節することで、袋体１０２内において連結部材１０３を弛みなく張った状態にできるため、脱水初期時の袋体１０２の回転を抑止できる。
【００７５】
また、本実施形態では、袋体１０２内に小袋１２１を配置して、小袋１２１内に連結部材１０３の一部を収容している。そのため、袋体１０２内の泥土が、袋体１０２の開口１０２ｃ（ベルト通過孔１２０ｂまたはベルト固定孔１２０ａ）から外部に漏れ出るのを防止できる。また、第２ベルト１１１が袋体１０２内の泥土に触れないため、第２ベルト１１１を袋体１０２から引き出したときに、袋体１０２内の泥土が第２ベルト１１１と一緒に漏れ出るのを防止できる。さらに、袋体１０２内の泥土が、ベルト調節具１２０のベルト通過孔１２０ｂまたはベルト連結具１１２の内側に詰まって、第２ベルト１１１をスムーズに動かせなくなるのを防止できる。
【００７６】
また、本実施形態では、第２ベルト１１１が、隣り合う２つの短筒体５の間に配置されているため、第２ベルト１１１を貫通させる貫通孔を織布の途中に設けなくて済むので、袋体１０２を作製しやすい。
【００７７】
＜第３実施形態＞
次に、本発明の第３実施形態について説明する。なお、第１、第２実施形態と同様の構成を有するものについては、同じ符号を用いて適宜その説明を省略する。図１４に示すように、本実施形態の泥土の袋詰め脱水用袋２００（以下、単に脱水用袋２００という）は、袋体１０２と、その一部分が袋体１０２内に配置された複数の連結部材２０３と、複数の可動部材２３０と、複数の漏れ防止部材２３１とを備えている。
【００７８】
連結部材２０３は、第１実施形態の連結部材３と同様のベルトであって、その長さは、泥土が充填された状態の袋体１０２の高さよりも長い。連結部材２０３の一端部は、袋体１０２の下面部２ｂに固定され、連結部材２０３の他端側は、袋体１０２の上面部１０２ａの開口１０２ｃから外部に露出している。連結部材２０３の一端部は、隣り合う２つの短筒体５の間に配置されて縫製されている。複数の連結部材２０３の配列位置は、第１実施形態の複数の連結部材３の配列位置と同じである。
【００７９】
漏れ防止部材２３１は、袋体１０２の内部の泥土が、袋体１０２の開口１０２ｃと連結部材２０３の隙間から外部に漏れ出るのを防止するための部材である。漏れ防止部材２３１は、袋体１０２の内側に配置され、開口１０２ｃの縁に固定されている。漏れ防止部材２３１は、環状の部材であって、連結部材２０３が貫通している。漏れ防止部材２３１の内周面と連結部材２０３とは隙間なく接している。漏れ防止部材２３１は、例えばスポンジなどで構成されている。
【００８０】
可動部材２３０は、連結部材２０３の袋体１０２の外部に露出する部分が、袋体１０２の内部に移動するのを防止するための部材である。可動部材２３０は、環状の部材であって、連結部材２０３に移動可能に取り付けられて、袋体１０２の外部に配置されている。可動部材２３０は、開口１０２ｃを通過不能な大きさに形成されている。可動部材２３０としては、例えば、合成繊維で織成されたベルトをループ状に縫製したものが用いられるが、これに限定されるものではない。
【００８１】
可動部材２３０の内周面は連結部材２０３に接しており、可動部材２３０と連結部材２０３との間の摩擦抵抗によって、可動部材２３０は連結部材２０３に対して容易には移動しないようになっている。袋体１０２内に泥土が注入されて、可動部材２３０が袋体１０２の外周面に接しつつ、袋体１０２内で連結部材２０３が弛みなく張った状態となった場合には、可動部材２３０が袋体１０２から力を受けるものの、可動部材２３０と連結部材２０３との間の摩擦抵抗によって可動部材２３０の移動が規制されるため、連結部材２０３が袋体１０２内に引き込まれるのを防止できる。そのため、袋体１０２内に泥土が充填された状態において、連結部材２０３によって、袋体１０２の上面部１０２ａと下面部２ｂとを連結できる。
【００８２】
次に、本実施形態の脱水用袋２００の使用方法について説明する。
袋体１０２に泥土を注入する前に、予め、連結部材２０３の袋体１０２内の部分の長さが短めになるように可動部材２３０の位置を調節しておく。袋体１０２に泥土を注入していくと、袋体１０２に泥土が充填される前に、袋体１０２内において連結部材２０３が弛みなく張った状態となる。
【００８３】
さらに泥土を注入して、袋体１０２が連結部材２０３の位置で凹んだ形状になると、可動部材２３０を移動させて、袋体１０２内において連結部材２０３を弛みなく張った状態で維持しながら、連結部材２０３の袋体１０２内の部分の長さを長くする。その後、袋体１０２への泥土の注入を続けながら、連結部材２０３の長さ調節を繰り返し行って、袋体１０２に泥土を充填する。
【００８４】
次に、泥土が充填された袋体１０２を放置して泥土を脱水する。脱水により袋体１０２内の泥土の体積が低減すると、可動部材２３０を移動させて、連結部材２０３の袋体１０２内の部分の長さを短くして、袋体１０２内において連結部材２０３を弛みなく張った状態にする。その後、脱水処理を続けながら、泥土の流動性が低下して連結部材２０３の長さ調節が困難になるまで連結部材２０３の長さ調節を繰り返し行い、脱水処理を完了する。
【００８５】
本実施形態の脱水用袋２００によると、第１実施形態と同様に、袋体１０２に高含水率の泥土が注入されたときに、袋体１０２の上下面が連結部材２０３によって連結された状態となるため、袋体１０２単体の回転を抑止できると共に、施工現場において袋体１０２の外側に回転防止のための部材を取り付けるなどの作業が不要であり、施工現場での作業を省力化できる。また、第１実施形態と同様の構成については、第１実施形態で述べた効果と同様の効果が得られる。
【００８６】
また、本実施形態では、第２実施形態と同様に、連結部材２０３における袋体１０２の上下面を連結する部分の長さが調節可能であるため、泥土注入時の袋体１０２の回転を抑止できると共に、脱水初期時の袋体１０２の回転を抑止できる。
【００８７】
＜第４実施形態＞
次に、本発明の第４実施形態について説明する。なお、第１、第２実施形態と同様の構成を有するものについては、同じ符号を用いて適宜その説明を省略する。図１５に示すように、本実施形態の泥土の袋詰め脱水用袋３００（以下、単に脱水用袋３００という）は、袋体１０２と、その一部分が袋体１０２内に配置された複数の連結部材３０３と、複数の可動栓３４０とを備えている。
【００８８】
本実施形態の連結部材３０３は、例えば、ポリエステル等の合成繊維のロープで構成されており、可撓性を有する。連結部材３０３の長さは、泥土が充填された状態の袋体１０２の高さよりも長い。連結部材３０３の一端部は、袋体１０２の下面部２ｂに固定され、連結部材３０３の他端側は、袋体１０２の上面部１０２ａの開口１０２ｃから外部に露出している。連結部材３０３の一端部は、隣り合う２つの短筒体５の間に配置されて縫製されている。複数の連結部材３０３の配列位置は、第１実施形態の複数の連結部材３の配列位置と同じである。
【００８９】
可動栓３４０は、袋体１０２の内部の泥土が、袋体１０２の開口１０２ｃと連結部材３０３の隙間から外部に漏れ出るのを防止すると共に、連結部材３０３の袋体１０２の外部に露出する部分が、袋体１０２の内部に移動するのを防止するための部材である。可動栓３４０は、連結部材３０３が貫通する貫通孔を有しており、連結部材３０３に移動可能に取り付けられている。可動栓３４０は、袋体１０２の開口１０２ｃを通過不能な頭部３４１と、開口１０２ｃに挿通可能な挿入部３４２とからなる。頭部３４１は、袋体１０２の外部に配置される。挿入部３４２の頭部３４１側の端部の外径は、開口１０２ｃを隙間なく塞ぐことができる大きさである。
【００９０】
可動栓３４０の貫通孔の内面は連結部材３０３に接しており、可動栓３４０と連結部材３０３との間の摩擦抵抗によって、可動栓３４０は連結部材３０３に対して容易には移動しないようになっている。袋体１０２内に泥土が注入されて、可動栓３４０の頭部３４１が袋体１０２の外周面に接しつつ、袋体１０２内で連結部材３０３が弛みなく張った状態となった場合には、可動栓３４０が袋体１０２から力を受けるものの、可動栓３４０と連結部材３０３との間の摩擦抵抗によって可動栓３４０の移動が規制されるため、連結部材３０３が袋体１０２内に引き込まれるのを防止できる。そのため、袋体１０２内に泥土が充填された状態において、連結部材３０３によって、袋体１０２の上面部１０２ａと下面部２ｂとを連結できる。
【００９１】
次に、本実施形態の脱水用袋３００の使用方法について説明する。
袋体１０２に泥土を注入する前に、予め、連結部材３０３の袋体１０２内の部分の長さが短めになるように可動栓３４０の位置を調節しておく。袋体１０２に泥土を注入していくと、袋体１０２に泥土が充填される前に、袋体１０２内において連結部材３０３が弛みなく張った状態となる。
【００９２】
さらに泥土を注入して、袋体１０２が連結部材３０３の位置で凹んだ形状になると、可動栓３４０を移動させて、袋体１０２内において連結部材３０３を弛みなく張った状態で維持しながら、連結部材３０３の袋体１０２内の部分の長さを長くする。その後、袋体１０２への泥土の注入を続けながら、連結部材３０３の長さ調節を繰り返し行って、袋体１０２に泥土を充填する。
【００９３】
次に、泥土が充填された袋体１０２を放置して泥土を脱水する。脱水により袋体１０２内の泥土の体積が低減すると、可動栓３４０を移動させて、連結部材３０３の袋体１０２内の部分の長さを短くして、袋体１０２内において連結部材３０３を弛みなく張った状態にする。その後、脱水処理を続けながら、泥土の流動性が低下して連結部材３０３の長さ調節が困難になるまで連結部材３０３の長さ調節を繰り返し行い、脱水処理を完了する。
【００９４】
本実施形態の脱水用袋３００によると、第１実施形態と同様に、袋体１０２に高含水率の泥土が注入されたときに、袋体１０２の上下面が連結部材３０３によって連結された状態となるため、袋体１０２単体の回転を抑止できると共に、施工現場において袋体１０２の外側に回転防止のための部材を取り付けるなどの作業が不要であり、施工現場での作業を省力化できる。また、第１実施形態と同様の構成については、第１実施形態で述べた効果と同様の効果が得られる。
【００９５】
また、本実施形態では、第２、第３実施形態と同様に、連結部材３０３における袋体１０２の上下面を連結する部分の長さが調節可能であるため、泥土注入時の袋体１０２の回転を抑止できると共に、脱水初期時の袋体１０２の回転を抑止できる。
【００９６】
以上、本発明の好適な実施の形態について説明したが、本発明は上述の第１〜第４実施形態に限られるものではなく、特許請求の範囲に記載した限りにおいて様々な変更が可能である。
【００９７】
上記第１〜第４実施形態では、連結部材３の両端部と、連結部材１０３、２０３、３０３の一端部は、短筒体５同士の間に配置されて短筒部５と一緒に縫製されることで袋体２、１０２に固定されているが、連結部材の袋体への固定方法はこれに限定されない。例えば、連結部材の端部を、短筒体５の内周面の途中部に縫い付けてもよい。この場合、連結部材の幅方向が、袋体の幅方向に一致するように縫製してもよいが、袋体の長手方向と一致するように縫製してもよい。
【００９８】
上記第１〜第４実施形態では、連結部材３、１０３、２０３、３０３が、袋体２、１０２の長手方向に７つ配列されているが、長手方向の配列数は７つに限定されるものではなく、１〜６つであっても、８つ以上であってもよい。
【００９９】
上記第１〜第４実施形態では、連結部材３、１０３、２０３、３０３が、袋体２、１０２の幅方向に２つ配列されているが、幅方向の配列数は２つに限定されるものではなく、１つであっても、３つ以上であってもよい。
【０１００】
第１実施形態の連結部材３を、袋体２の幅方向に３つ以上配列する場合、連結部材３の長さは全て同じであってもよいが、例えば図１６に示す脱水用袋４００のように、幅方向両端部の連結部材４０３Ｂの長さが、中央部の連結部材４０３Ａの長さよりも短くなっていてもよい。図１６の構成によると、袋体２に泥土が充填されて、断面が略楕円形状となったときに、中央部の連結部材４０３Ａと両端部の連結部材４０３Ｂを同時に弛みなく張った状態とすることができるため、袋体２の回転をより確実に抑止できる。
【０１０１】
上記第１実施形態では、充填完了時点で、複数の連結部材３は、弛みなく張った状態となっているが、若干弛んだ状態となっていてもよい。この場合、袋体２が回転しようとすると、上面部２ａが若干移動した時点で連結部材３（特に図８中の右側の連結部材３）が張った状態となるため、袋体２の回転を抑止できる。
【０１０２】
上記第１〜第３実施形態では、連結部材３、１０３、２０３は、合成繊維で織成されたベルトであるが、袋体２が回転しようとしたときに耐えうる引張強度と可撓性を有するものであれば、ベルトでなくてもよい。例えば、ロープや、織布を帯状に折り畳んだものであってもよい。
【０１０３】
上記第４実施形態では、連結部材３０３は、合成繊維のロープであるが、袋体２が回転しようとしたときに耐えうる引張強度と可撓性を有するものであれば、ロープでなくてもよい。例えば、ベルトや、織布を帯状に折り畳んだものであってもよい。
【０１０４】
上記第１〜第４実施形態では、連結部材３、１０３、２０３、３０３は、泥土がほとんど通過しない構成であるが、連結部材は、泥土が通過可能な孔を有する布や網で構成されていてもよい。
【０１０５】
上記第１〜第４実施形態では、短筒体５同士を連結する縫製部７において、目止め部材８は、短筒体５同士の間に配置されて短筒体５と一緒に縫製されているが（図４参照）、この縫製部７における目止め部材８の配置の仕方はこれに限定されるものではなく、例えば図５や図６のように配置してもよい。
また、袋体２の長手方向に沿った縫製部７、および、袋体２の長手方向両端部の縫製部７においても、目止め部材８の配置の仕方は上記実施形態に限定されるものではない。
【０１０６】
上記第１実施形態では、脱水用袋１を製造する際、短筒体５となる織布６を、短筒体５の筒軸方向となる方向に並べて連結してから、織布６を筒状に縫製して短筒体５を形成しているが、短筒体５を形成してから、短筒体５を筒軸方向に並べて連結してもよい。
【０１０７】
上記第１〜第４実施形態では、袋体２、１０２を構成する短筒体５は、１枚の織布６を筒状に縫製したものであるが、短筒体５は、筒状に織成された織物であってもよく、３枚以上の織布を周方向に並べて縫い合わせたものであってもよい。
【０１０８】
上記第１〜第４実施形態では、袋体２、１０２は、袋体の長手方向に並んだ複数の短筒体５で構成されているが、袋体の構成はこれに限定されるものではない。例えば、袋体は、筒状に織成された１つの織物で構成されていてもよい。また例えば、図１７に示す脱水用袋５００のように、袋体５０２は、袋体５０２の周方向に並んだ複数の織布５０９で構成されていてもよい。この場合、連結部材３の端部を、隣り合う２枚の織布５０９の間に配置して織布５０９と一緒に縫製することが好ましい。
【０１０９】
上記第１〜第４実施形態では、袋体２を構成する複数枚の織布６は、縫製により連結されているが、ホットメルトなどの接着材によって連結されていてもよい。この場合、連結部材３、１０３、２０３、３０３の端部も接着によって袋体２に固定される。また、目止め部材８は不要である。
【０１１０】
上記第２〜第４実施形態では、連結部材１０３、２０３、４０３の一端部のみが袋体の外部に露出しているが、連結部材の両端部が袋体の外部に露出していてもよい。例えば、袋体の上下面に開口１０２ｃを形成し、連結部材３０３に２つの可動栓３４０を取り付けてもよい。連結部材の両端部を袋体の外部に露出させた場合、注入口を袋体の上下面の境界に設けることで、袋体の上下面の区別をなくすことができる。これにより、空の袋体を施工現場に設置する作業がより容易になる。
【０１１１】
上記第２〜第４実施形態では、袋体１０２への泥土の注入時に、連結部材１０３、２０３、３０３の長さ調節を３回以上行っているが、１回または２回だけ行ってもよい。また、上記第２〜第４実施形態では、袋体１０２の脱水処理時に、連結部材１０３、２０３、３０３の長さ調節を３回以上行っているが、１回または２回だけ行ってもよい。
【０１１２】
上記第１〜第４実施形態では、大型の脱水用袋に本発明を適用した場合を説明したが、本発明の適用対象は大型の脱水用袋に限定されるものではなく、小型の脱水用袋にも適用可能である。
【実施例】
【０１１３】
次に、本発明の効果を確認するための試験について説明する。
試験は、大型の袋詰め脱水用袋の１０分の１スケール相当のモデルを用いて行った。
【０１１４】
実施例１、２として、上記第１実施形態と同様に、連結部材の両端部が袋体に固定された構成の袋詰め脱水用袋を用意した。図１８（ａ）および図１９（ａ）は、実施例１、２の袋詰め脱水用袋の膨張していない状態の平面図であって、図中にはその寸法と連結部材の固定位置（×印）を表示している。また、図１８（ｂ）および図１９（ｂ）は、実施例１、２の脱水用袋の断面図であって、図中には連結部材の長さを表示している。なお、図１８（ｂ）および図１９（ｂ）は、連結部材が張った状態となる袋体の形状の一例であって、実際に泥土が充填された状態の袋体の断面を表しているわけではない。
【０１１５】
比較例として、連結部材を備えていない袋詰め脱水用袋を用意した。この比較例の袋の寸法は、膨張していない状態で、長さが１２０ｃｍ、幅が６０ｃｍである。
【０１１６】
実施例１、２および比較例の袋詰め脱水用袋を水平な床面に空の状態で配置して、高含水率の泥土を充填した後、床面を１０°傾けて、袋が回転するかどうかを観察した。また、観察後、袋の高さ（最大厚さ）を測定した。その結果を表１に示す。
【０１１７】
【表１】
2015047548.tif 000003
【０１１８】
表１に示すように、実施例１は全く移動しなかった。また、実施例２は転がることはなかったものの、若干移動した。実施例２では、傾けた後の袋の高さが２５ｃｍであって、連結部材の長さよりも５ｃｍ小さいことから、泥土の充填が完了した時点で、連結部材の弛みが大きかったために、袋が若干移動したと考えられる。
【符号の説明】
【０１１９】
１、１００、２００、３００、４００、５００  泥土の袋詰め脱水用袋
２、１０２、５０２  袋体
２ａ、１０２ａ  上面部
２ｂ  下面部
３、１０３、２０３、３０３、４０３Ａ、４０３Ｂ  連結部材
５  短筒体
６  織布（短筒体形成部材）
７  縫製部
８  目止め部材
１１０  第１ベルト
１１１  第２ベルト
１１２  ベルト連結具
１２０  ベルト調節具
１２１  小袋
２３０  可動部材
２３１  漏れ防止部材
３４０  可動栓
【図１】
2015047548.tif 000004
【図２】
2015047548.tif 000005
【図３】
2015047548.tif 000006
【図４】
2015047548.tif 000007
【図５】
2015047548.tif 000008
【図６】
2015047548.tif 000009
【図７】
2015047548.tif 000010
【図８】
2015047548.tif 000011
【図９】
2015047548.tif 000012
【図１０】
2015047548.tif 000013
【図１１】
2015047548.tif 000014
【図１２】
2015047548.tif 000015
【図１３】
2015047548.tif 000016
【図１４】
2015047548.tif 000017
【図１５】
2015047548.tif 000018
【図１６】
2015047548.tif 000019
【図１７】
2015047548.tif 000020
【図１８】
2015047548.tif 000021
【図１９】
2015047548.tif 000022